(57)【要約】      （修正有）【課題】人体背中など手の届きにくい箇所への薬液塗布を容易に行うための薬液塗布補助具を提供する。【解決手段】上部開放有底の中空棒体よりなる外ケース２を設け、該外ケース２内にて適度の嵌合状態にてスライド可能に位置するロッドを設けるとともに該ロッド先端に回動アーム６を軸支し、回動アーム６に、薬液収納容器２０をアームに保持するための保持体１２を設けた。【選択図】図５
0003211841.tif 000002
【実用新案登録請求の範囲】
【請求項１】
上部開放有底の中空棒体よりなる外ケースを設け、該外ケース内にて適度の嵌合状態にてスライド可能に位置するロッドを設けるとともに該ロッド先端に回動アームを軸支し、回動アーム適所に、薬液収納容器をアームに保持するための保持体を設けたことを特徴とする薬液塗布補助具。
【請求項２】
保持体を布体にて形成し、該布体の表裏適所に布体端の相互係着手段を設けてなる請求項１記載の薬液塗布補助具。
【請求項３】
係着手段を一対の面ファスナーにて形成してなる請求項２記載の薬液塗布補助具。
【請求項４】
外ケース適所に体表面摩擦部を設けてなる請求項１から３のいずれかの項に記載の薬液塗布補助具。
【考案の詳細な説明】
【技術分野】
【０００１】  この考案は、人体背中等に薬液を容易に塗布するための補助具に関する。
【背景技術】
【０００２】  従来より、人体に塗布するための薬液は多数市販されているが、この薬液を人体の任意の場所に容易に塗布するための補助具は見当たらない。
【考案の概要】
【考案が解決しようとする課題】
【０００３】  人体治療用として種々の薬液が市販されている。これらの薬液の多くは、合成樹脂製の専用容器に収納され、この容器のキャップを取り外すと露出口には発泡合成樹脂が位置し、この部分に収納薬液が浸透しているので、この部分を人体に軽く押し当てて塗布するのが一般的である。自力にてこの作業を行うとき、塗布しにくい箇所がある。
それは、背中の肩甲骨の間やその少し下方の部分である。この箇所は手が届きにくいために、塗布が困難である。従って、誰かに塗布作業を行ってもらわねばならないが、このような場合に、自力で容易に塗布するための適切な手段が見当たらないのが現状である。
本案は以上に鑑み、伸縮と折り畳み可能なる補助具を提供するもので、該補助具先端に市販の薬液容器を着脱可能に位置させることにて目的を達するものである。
【課題を解決するための手段】
【０００４】  課題を解決する手段として本案は以下の構成とした。
すなわち、上部開放有底の中空棒体よりなる外ケースを設け、該外ケース内にて適度の嵌合状態にてスライド可能に位置するロッドを設けるとともに該ロッド先端に回動アームを軸支し、回動アーム適所に、薬液収納容器をアームに保持するための保持体を設ける。
本案は以上の構成よりなる薬液塗布補助具である。
【考案の効果】
【０００５】  本案によれば、回動可能なるアームに市販の薬液収納容器を、保持体を用いて着脱可能に位置させることができ、かつ該アームの回動角度を選択できるとともに、握持する外ケース内に位置するロッドの伸縮にて全長は可変なので、人体の任意の箇所に薬液を正確かつ容易に塗布することのできる、新規かつ有用なる手段を得ることができる。
【図面の簡単な説明】
【０００６】
【図１】本考案の保持体説明図（平面視）
【図２】本考案の正面図（保持体開時）
【図３】本考案の背面図（保持体開時）
【図４】本考案の左側面図（保持体開時）
【図５】本考案の左側面図（薬液収納容器保持状態）
【図６】本考案の左側面図（薬液収納容器保持状体・ロッド伸張時）
【図７】本考案の左側面図（アーム回動時）
【図８】本考案の体表面摩擦部説明図（正面視）
【図９】本考案の体表面摩擦部説明図（左側面視）
【図１０】本考案の使用説明図
【考案を実施するための最良の形態】
【０００７】  以下、本考案の実施形態について説明する。図において、１は補助具主体で市販品である。（布体装着にて掃除具として用いられている）２は合成樹脂製有底の中空筒状体による外ケースで、上部開放である。３は外ケース内にて適度の嵌合状態にてスライド可能に位置する第一ロッド、４は第一ロッド内に同様に位置する第二ロッド、５は同様に位置する第三ロッドである。６は第三ロッドに軸７にて回動可能に軸支される回動アームである。この回動アームはその先端に近づくにつれて薄板状となっており、図３にて示すロックボタン８の押圧操作にてその回動と回動停止が選択される。すなわち、内部バネにて付勢されている可動可能な凹部とこれにかみ合う凸部とが係合して回動がロックされ、ロックボタンの押圧操作にてこれが解除されて回動ロック解除となるものである。また、各ロッドはスライドにより脱落しないようにロック機能を有している。すなわち、ロッド内にバネにて外向きに付勢されている突起があり、外側ロッド側面にはスリットがあり、内部ロッド移動にてこの突起がスリットにはまり込んでそのスライドはロックされ、ロッドが縮む方向への押圧にてそのロックが解除される仕組みである。以上が市販品部分の主部である。【０００８】  １０は添板で、前記回動アームより幅広い合成樹脂製板体であり、回動アーム中程に図２のごとく固着される。１１は薄ゴムシートで、添板と同形であって添板に貼着される。１２は保持体で、布製であって回動アーム裏方に固着される。１３は薄ゴムシートによる当接体で、保持体右方適所に固着される。１４は保持体左方中央に縫着される面ファスナー雄片、１５は保持体裏面に縫着される面ファスナー雌片である。【０００９】  次に、本案の使用について説明する。まず、保持体を図２のごとく開き、市販の薬液収納容器２０を添板に当接させて保持体を回してあてがい、双方の面ファスナーを係着させる。この状態において、薬液収納容器は添板表面の薄ゴムシート１１と保持体に貼着されている当接体１３間に押圧されて位置して、これらゴムシートとの摩擦にてその位置保持がなされる。
次に、薬液収納容器のキャップを取り去って塗布面を露出させ、図１０のように外ケース適所を握るとともに、各ロッド長を調整した後、塗布面を人体背中の塗布しようとする箇所にあてがい、塗布作業を行う。外ケースに対して各ロッドはスライド可能であるとともに、回動アームの角度は調整可能であるので、使用者のこれらの操作にて、正確かつ容易に塗布することができる。使用後は既述と逆の作業にて初期状態へと戻すことができる。なお、回動アームは図７にて示す位置まで回動可能であるので、コンパクトに折り畳んで収納保管することができる。【００１０】  図８〜９は本案の他例を示すものである。本例は外ケース下部に回動アームを回動可能に軸支するとともに、該回動アーム端に体表面摩擦部を設けたもので、従来の孫の手同様の機能を付加したもので、他の部分は既述と同様である。
図において、２１は回動アーム、２２は体表面摩擦部で、側面視湾曲形状の合成樹脂製小板体であって、その先端部は切除部にて連続する小突起部２３が形成されている。
使用時は、外ケースもしくはロッドを手に持ち、回動アームを適宜に回動させてロッド長を調整し、小突起部を人体適所に軽く押圧してあてがい、この小突起部を動かすことにて孫の手同様の効果を得ることができる。なお、既例同様のロックボタン方式を用いてもよい。【００１１】  以上、本案について記したが、本案は伸縮と回動可能なる物品先端に市販の薬液収納容器を保持させることができるために、人体背中など手の届きにくい箇所への薬液塗布を容易に行えるところにその特徴を有するものである。
塗布箇所によっては従来では他人に依頼しなければならなかった作業が自力で行えるものとなったのである。また、五十肩など腕の上方移動が困難な人でも、上記作業ができる特徴を有している。さらに、既例のごとく回動可能な小突起部を設けることにて、孫の手同様の機能を得ることができるのである。なお、ロッドや外ケース側面に目盛りを設けることにて、自己に適したロッド長を容易に把握することができる。
なお、既述の例は実施の一例であり、近似の他の構成としてもよい。本案品は、保持体構造を変化させることにより、湿布薬の貼着にも応用可能と思われる。
以上のごとく、本案によって人体への薬液塗布に便利な用具を得ることができる。
【符号の説明】
【００１２】１    補助具主体
２    外ケース
３    第一ロッド
４    第二ロッド
５    第三ロッド
６    回動アーム
１０  添板
１１  薄ゴムシート
１２  保持体
１３  当接体
１４  面ファスナー雄片
１５  面ファスナー雌片
２０  薬液収納容器
２１  回動アーム
２２  体表面摩擦部
２３  小突起部
【図１】
0003211841.tif 000003
【図２】
0003211841.tif 000004
【図３】
0003211841.tif 000005
【図４】
0003211841.tif 000006
【図５】
0003211841.tif 000007
【図６】
0003211841.tif 000008
【図７】
0003211841.tif 000009
【図８】
0003211841.tif 000010
【図９】
0003211841.tif 000011
【図１０】
0003211841.tif 000012
【手続補正書】
【提出日】平成29年5月23日(2017.5.23)
【手続補正１】
【補正対象書類名】実用新案登録請求の範囲
【補正対象項目名】全文
【補正方法】変更
【補正の内容】
【実用新案登録請求の範囲】
【請求項１】
上部開放有底の中空棒体よりなる外ケースを設け、該外ケース内にて適度の嵌合状態にてスライド可能に位置するロッドを設けるとともに該ロッド先端に回動アームを軸支し、回動アームに、薬液収納容器を回動アームに保持するための保持体を設けたことを特徴とする薬液塗布補助具。
【請求項２】
保持体を布体にて形成し、該布体の表裏に布体端の相互係着手段を設けてなる請求項１記載の薬液塗布補助具。
【請求項３】
係着手段を一対の面ファスナーにて形成してなる請求項２記載の薬液塗布補助具。
【請求項４】
外ケースに体表面摩擦部を設けてなる請求項１から３のいずれかの項に記載の薬液塗布補助具。